(57)【要約】【課題】火災時においても安定してガラスを支えることができる建具を提供すること。【解決手段】建具１００は、左右の採風縦框４１３、４１４と、採風上框４１１と、採風下框４１２と、が框組みされた採風框体４１と、各框に形成されたガラス保持溝４１１ｃ、４１２ｃ、４１３ｃ、４１４ｃに外周端部が保持されたガラス４２と、を備える建具１００であって、採風下框４１２のガラス保持溝４１２ｃに配置され、ガラス４２を保持するガラス保持金具４７２を備え、ガラス保持金具４７２が、採風縦框４１３、４１４と連結される連結部４７２ａを有する。【選択図】図６
2018104926.tif 000002
【特許請求の範囲】
【請求項１】
左右の縦框と、上框と、下框と、が框組みされた框体と、
各框に形成されたガラス保持溝に外周端部が保持されたガラスと、を備える建具であって、
前記下框のガラス保持溝に配置され、前記ガラスを保持するガラス保持金具を備え、
前記ガラス保持金具が、前記縦框と連結される連結部を有する建具。
【請求項２】
前記連結部が、前記ガラス保持金具の端部に形成され該端部から前記縦框のガラス保持溝の底面に対向するように起立する立上がり片で構成され、
前記立上がり片が、前記縦框のガラス保持溝の底面と固定ネジで締結される請求項１に記載の建具。
【発明の詳細な説明】
【技術分野】
【０００１】
本発明は、ガラスを備える建具に関する。
【背景技術】
【０００２】
従来、アルミニウム製の縦框、上框、及び下框によってガラスを保持する建具が開発されている。また、火災時にガラスの脱落を防止できる建具が提案されている（例えば特許文献１を参照）。
【先行技術文献】
【特許文献】
【０００３】
【特許文献１】特開２０１５−１４８１４５号公報
【発明の概要】
【発明が解決しようとする課題】
【０００４】
しかしながら、特許文献１に記載の建具は、アルミニウムよりも融点が高い材質でできたガラス保持溝補強材、下框補強材、下ステー及び下枠補強材が、一連にネジで固定されており、より部品点数を少なくするように改良の余地がある。
【０００５】
本発明は、防火性を維持しつつ部品点数の少ない建具を提供することを目的とする。
【課題を解決するための手段】
【０００６】
本発明は、左右の縦框と、上框と、下框と、が框組みされた框体と、各框に形成されたガラス保持溝に外周端部が保持されたガラスと、を備える建具であって、前記下框のガラス保持溝に配置され、前記ガラスを保持するガラス保持金具を備え、前記ガラス保持金具が、前記縦框と連結される連結部を有する建具に関する。
【０００７】
また、前記連結部が、前記ガラス保持金具の端部に形成され該端部から前記縦框のガラス保持溝の底面に対向するように起立する立上がり片で構成され、前記立上がり片が、前記縦框のガラス保持溝の底面と固定ネジで締結されることが好ましい。
【発明の効果】
【０００８】
本発明によれば、ガラスを安定して支えることができる建具を提供することができる。
【図面の簡単な説明】
【０００９】
【図１】本発明の一実施形態に係る戸を備える建具を屋外側から見た姿図である。
【図２】上記実施形態に係る戸を備える建具を屋内側から見た姿図である。
【図３】上記実施形態に係る戸の縦框付近の横断面図である。
【図４】上記実施形態に係る建具の開口部付近の縦断面図である。
【図５】上記実施形態に係る建具の開口部付近の横断面図である。
【図６】上記実施形態に係る採風下框がガラスを保持する構成を示す模式図である。
【図７】上記実施形態に係る建具の有するガラス保持金具の見付方向からの正面図である。
【図８】上記実施形態に係る採風框体が框組される一例を示す模式図である。
【発明を実施するための形態】
【００１０】
以下に、本発明の一実施形態について詳述することにより本発明を明らかにする。
なお、本明細書において、「見付方向」とは、戸の面に沿った水平方向（左右方向）を意味し、「見込方向」とは、戸の厚さ方向を意味する。
【００１１】
図１は、本発明の一実施形態に係る戸を備える建具を屋外側から見た姿図である。図２は、本発明の一実施形態に係る戸を備える建具を屋内側から見た姿図である。
図１及び図２に示すように、戸１は、玄関ドア等の開き戸である。建具１００は、固定枠体１１０と、３つの丁番１２１と、ドアクローザ１３０と、ドアガード１４０と、を更に備える。
【００１２】
固定枠体１１０は、建物に形成された躯体開口部Ａの周囲に配置される。固定枠体１１０は、横枠としての固定上枠１１１及び固定下枠１１２と縦枠としての吊元側の固定縦枠１１３及び戸先側の固定縦枠１１４により矩形に枠組みされる。
【００１３】
丁番１２１は、吊元側の固定縦枠１１３及び戸１に接続される。
ドアクローザ１３０は、戸１の屋内側の上側であって、戸１の見付方向（左右方向）の中心よりも吊元側に寄って配置される。ドアクローザ１３０は、本体が戸１に、アームが固定上枠１１１に、それぞれ接続され、戸１を自動的に閉じる。
【００１４】
ドアガード１４０は、戸１に配置され且つループ状に形成されたドアガード本体部１４１と、戸先側の固定縦枠１１４に配置され且つドアガード本体部１４１が掛合することが可能なドアガード受け部１４２と、を有する。ドアガード１４０は、ドアガード本体部１４１がドアガード受け部１４２に掛合することで、戸１が開放されるのを制限する。
【００１５】
戸１は、建物に形成された躯体開口部Ａの内部に、開閉可能に嵌め込まれる。具体的には、戸１は、丁番１２１によって、固定枠体１１０の内側に吊り込まれる。
戸１は、框体２０と、開口部３０と、障子４０と、開口部枠体５０と、屋外側面材６１と、屋外側ハンドル６２と、シリンダー６３、６４と、屋内側面材７１と、屋内側ハンドル７２と、サムターン７３、７４と、格子８０と、を備える。
【００１６】
戸の框体２０は、戸体の四周を囲んで配置される。戸の框体２０は、戸体上框２１、戸体下框２２、吊元側の吊元側縦框２３及び戸先側の戸先側縦框２４により矩形に框組みされる。
開口部３０は、戸の框体２０の内側であって、戸１の見付方向（左右方向）の中心よりも吊元側に形成される。
【００１７】
そして、この開口部３０に矩形に枠組みして設けられた開口部枠体５０及びこの開口部枠体５０に適合する障子４０等を含んで、縦辷り出し窓３０ａが構成される。
【００１８】
縦辷り出し窓３０ａにおいて、障子４０は、開口部３０の内側に嵌め込まれる。障子４０は、縦辷り出しタイプの障子であり、障子４０を開放すれば、戸１を開放することなく屋内の通気・換気（採風）が可能になる。
【００１９】
障子４０は、採風框体４１（図２参照）と、ガラス４２と、把手４３（図２参照）と、を備える。採風框体４１は、上框としての採風上框４１１と、下框としての採風下框４１２と、縦框としての戸先側（戸１の戸先側）の採風縦框４１３と、縦框としての吊元側（戸１の吊元側）の採風縦框４１４とにより矩形に框組される（後述）。矩形に框組されるガラス４２は、スイング框体である採風框体４１の内側に嵌め込まれる。把手４３は、戸先側の採風縦框４１３の屋内側に配置される。障子４０の吊元は、戸１の戸先側に、障子４０の戸先は、戸１の吊元側に、それぞれ配置される。なお、戸先側の採風縦框４１３と、吊元側の採風縦框４１４とをまとめて採風縦框４１３、４１４ともいう。
【００２０】
また、縦辷り出し窓３０ａにおける開口部枠体５０は、開口部３０の周囲に配置される。開口部枠体５０は、横枠としての開口部上枠５１及び開口部下枠５２と、縦枠としての戸先側の開口部縦枠５３及び吊元側の開口部縦枠５４により矩形に枠組みされる（図４及び図５参照）。
【００２１】
屋外側面材６１は、戸１の屋外側の表面に配置される（図１参照）。
屋外側ハンドル６２は、戸１の屋外戸先側における高さ方向の略中央部に配置される。屋外側から屋外側ハンドル６２を把持して戸１を屋外側に引くことで、戸１を、丁番１２１を中心に回動させて開放することができる。
【００２２】
シリンダー６３、６４は、屋外側ハンドル６２の上下にそれぞれ配置される。シリンダー６３、６４は、鍵を挿入して回転させることができる。シリンダー６３、６４を回転させることで図示しないデットボルトを操作できる。デットボルトを操作することで建具１００を施錠できる。
【００２３】
屋内側面材７１は、戸１の屋内側の表面に配置される（図１参照）。
屋内側ハンドル７２は、戸１の屋内戸先側における高さ方向の略中央部に配置される。屋外側から屋内側ハンドル７２を把持して引くことで、戸１を、丁番１２１を中心に回動させて開放することができる。
【００２４】
サムターン７３、７４は、屋内側ハンドル７２の上下にそれぞれ配置される。サムターン７３、７４を回転させることによっても、図示しないデットボルトを操作して、建具１００を施錠できる。
【００２５】
格子８０は、開口部３０（障子４０）の屋外側に配置される。格子８０は、縦格子８１と、横格子８２と、を有する。
縦格子８１は、障子４０の上端から下端に亘って延設される。横格子８２は、縦格子８１と直角に交差するように、水平方向に延設される。
【００２６】
本実施形態に係る戸の框体２０の構成について、図３を用いて説明する。図３は、本発明の一実施形態に係る戸の縦框付近の横断面図である。
戸の框体２０の各框（戸体上框２１、戸体下框２２、吊元側縦框２３及び戸先側縦框２４）は、それぞれ断面がＵ字状である樹脂戸体框２１１と、樹脂戸体框２１１の内部に配置される断面がＵ字状の框芯材２１２と、各框のエッジ部分を覆うエッジ部材２１３と、を有する。框芯材２１２は、リベット２１ａによって各框に接続される。
【００２７】
戸先側縦框２４の樹脂戸体框２１１ａは、屋外側及び屋内側に別々に配置される。戸先側のエッジ部材２１３は、戸１を閉鎖した際に固定縦枠１１４に当接する延出部２１４を有する。一方で、吊元側縦框２３と吊元側の固定縦枠１１３との間に、上下方向の３箇所に亘って丁番３が介設される。
【００２８】
本実施形態に係る建具１００の開口部３０付近の構成について、図４及び図５を用いて説明する。図４は、本発明の一実施形態に係る建具の開口部付近の縦断面図である。図５は、本発明の一実施形態に係る建具の開口部付近の横断面図である。
【００２９】
図４及び図５に示すように、開口部３０付近における障子４０のガラス４２は、屋外側の板ガラス４２１と、屋内側の板ガラス４２２と、これら２枚の板ガラスで挟持されたスペーサ４２３と、を備える複層ガラスであり、優れた断熱性を有する。
なお、戸１は、ガラス４２と格子８０（縦格子８１及び横格子８２）との間に配置される網６５を有する。網６５は、障子４０を開放することで屋外と屋内とを開口部３０を通じて連通させた際に、虫等が屋内に侵入するのを防ぐ。また、戸１は、屋外側面材６１と屋内側面材７１との間に配置される断熱材Ｈを有する。断熱材Ｈは、例えば、発泡ポリスチレンからなる。
【００３０】
図４に示すように、開口部上枠５１は、開口部上枠本体５１１と、開口部上枠芯材５１２とを有する。
【００３１】
開口部上枠本体５１１は、中空部５１１ａを有するホロー構造である。また、開口部上枠本体５１１は、下方に延出した延出部５１１ｂを有する。延出部５１１ｂは、屋外側に屈曲しつつ下方に延出する。開口部上枠本体５１１は、例えばアルミニウムで構成される。より具体的には、開口部上枠本体５１１は、アルミニウムを押出成形することで得られる。
【００３２】
開口部上枠本体５１１は、延出部５１１ｂの基端側の屋内側に配置される加熱発泡材５１１ｃと、加熱発泡材５１１ｃの近傍に配置される気密材５１１ｄと、網６５を固定するための網押し棒５１１ｆと、を有する。
【００３３】
開口部上枠芯材５１２は、開口部上枠本体５１１の上方に配置される。開口部上枠芯材５１２は、上方に開放された断面Ｃ字状の長尺部材であり、例えば、ステンレスからなる。開口部上枠芯材５１２は、屋外側においてリベット５１２ａによって開口部上枠本体５１１に固定され、屋内側においてリベット５１２ｂによって後述するモール固定部材５１６に固定される。開口部上枠芯材５１２と開口部上枠本体５１１との間には、屋外側面材６１の一部及び加熱発泡材５１２ｃが配置される。開口部上枠芯材５１２とモール固定部材５１６との間には、屋内側面材７１の一部及び加熱発泡材５１２ｄが配置される。
【００３４】
また、戸１は、屋外モール部材５１４と、開口部屋内上側モール部材５１５と、モール固定部材５１６と、を有する。
【００３５】
屋外モール部材５１４は、開口部上枠５１及び開口部下枠５２の屋外側に配置される。屋外モール部材５１４は、ネジによって戸先側の開口部縦枠５３及び吊元側の開口部縦枠５４に固定され（図５参照）、戸体上框２１、開口部上枠５１、開口部下枠５２、戸体下框２２の屋外側を覆う。
【００３６】
開口部屋内上側モール部材５１５は、開口部上枠５１の屋内側に配置される。
モール固定部材５１６は、開口部屋内上側モール部材５１５を固定するための部材であって、ネジ５１６ａによって開口部上枠本体５１１に締結される。開口部屋内上側モール部材５１５は、スナップフィットによりモール固定部材５１６に固定される。
【００３７】
採風上框４１１は、中空部４１１ａを有するホロー構造である。また、採風上框４１１は、上方に延出した延出部４１１ｂと、下方に形成されたガラス保持溝４１１ｃと、を有する。採風上框４１１には上面に加熱発泡材４１１ｄが、延出部４１１ｂの屋外側には加熱発泡材４１１ｅが貼り付けられ、加熱発泡材４１１ｄ及び加熱発泡材４１１ｅは、断面がＬ字状の固定金具４１１ｆによって固定される。ガラス保持溝４１１ｃの内部には、断面が下方に開放したＣ字状の採風上框芯材４１１ｇが配置され、採風上框芯材４１１ｇの内部には加熱発泡材４１１ｈが配置される。
【００３８】
採風上框４１１は、障子４０の閉鎖時に屋外側において気密材５１１ｄと当接する。
ガラス４２の上側の端部は、ガラス保持溝４１１ｃに嵌め込まれて、グレイジングチャンネル４１１ｉを介して採風上框４１１に挟持される（後述）。
【００３９】
戸体下框２２、開口部下枠５２及び採風下框４１２は、それぞれ戸体上框２１、開口部上枠５１及び採風上框４１１とほぼ同様の構造を有する。戸体下框２２、開口部下枠５２及び採風下框４１２については、戸体上框２１、開口部上枠５１及び採風上框４１１と同様の構造には対応する符号を付して説明を省略し、異なる構造について説明する。
【００４０】
開口部下枠本体５２１は、屋外側に配置され、中空部５２１ａから雨水等を排水するための排水弁５２１ｊを有する。
また、開口部下枠５２は、開口部下枠内部芯材５２３を更に有する。この開口部下枠本体５２１の中空部５２１ａに配置される。開口部下枠内部芯材５２３は、断面が下方に開放されたＣ字状の長尺部材であり、例えば、ステンレスからなる。開口部下枠内部芯材５２３には、屋外側及び屋内側にそれぞれ加熱発泡材５２３ａ、５２３ｂが配置される。
また、ガラス保持溝４１２ｃの内部の加熱発泡材４１２ｈの上には、ガラス４２を支持する緩衝材４１２ｋが配置される。
【００４１】
更に、戸１は、開口部上枠５１及び採風上框４１１と接続される上側アームＳ１と、開口部下枠５２及び採風下框４１２と接続される下側アームＳ２と、を有する。上側アームＳ１及び下側アームＳ２によって、障子４０が開口部３０の内側に開閉可能に吊り込まれるようにして縦辷り出し窓３０ａの開閉に係る作動部分が構成されている。
【００４２】
図５に示すように、開口部縦枠５３は、開口部縦枠本体５３１と、開口部縦枠芯材５３２と、を有する。
開口部縦枠本体５３１は、戸先側に延出した延出部５３１ｂを有する。開口部縦枠本体５３１は、例えばアルミニウムで構成される。より具体的には、開口部縦枠本体５３１は、アルミニウムを押出成形することで得られる。
【００４３】
開口部縦枠本体５３１は、屋内側の面に配置される加熱発泡材５３１ｃと、加熱発泡材の近傍に配置される気密材５３１ｄと、延出部５３１ｂの近傍に配置される網６５を固定するための網押し棒５３１ｆとを有する。開口部縦枠本体５３１の吊元側の面には、加熱発泡材５３１ｈが配置される。
【００４４】
開口部縦枠芯材５３２は、開口部縦枠本体５３１の吊元側に配置される。開口部縦枠芯材５３２は、断面が吊元側に開放されたＣ字状の長尺部材であり、例えば、ステンレスからなる。開口部縦枠芯材５３２は、屋外側においてリベット５３２ａによって開口部縦枠本体５３１に固定され、屋内側においてリベット５３２ｂによって後述するモール固定部材５３６に固定される。開口部縦枠芯材５３２と開口部縦枠本体５３１との間には、屋外側面材６１の一部及び加熱発泡材５３２ｃが配置される。開口部縦枠芯材５３２とモール固定部材５３６との間には、屋内側面材７１の一部及び加熱発泡材５３２ｄが配置される。
【００４５】
また、戸１は、開口部屋内吊元側モール部材５３５と、モール固定部材５３６と、を有する。
【００４６】
開口部屋内吊元側モール部材５３５は、開口部縦枠５３の屋内側に配置される。
モール固定部材５３６は、開口部屋内吊元側モール部材５３５を固定するための部材であって、ネジ５３６ａによって開口部縦枠本体５３１に締結される。開口部屋内吊元側モール部材５３５は、スナップフィットによりモール固定部材５３６に固定される。
【００４７】
採風縦框４１３は、矩形の中空部４１３ａを有するホロー構造である。また、採風縦框４１３は、戸先側に形成されたガラス保持溝４１３ｃを有する。また、採風縦框４１３には吊元側の側面に加熱発泡材４１３ｄが貼り付けられている。
中空部４１３ａの内部には、断面が戸先側に開放したＣ字状の採風縦框内部芯材４１３ｊが配置される。ガラス保持溝４１３ｃの内部には、断面が戸先側に開放したＣ字状の採風縦框芯材４１３ｇが配置され、採風縦框芯材４１３ｇの内部には加熱発泡材４１３ｈが配置される。
【００４８】
採風縦框４１３は、障子４０の閉鎖時に屋外側において気密材５３１ｄと当接する。
ガラス４２の吊元側の端部は、ガラス保持溝４１３ｃに嵌め込まれて、グレイジングチャンネル４１３ｉを介して採風縦框４１３に挟持される。
【００４９】
戸１は、吊元側の開口部縦枠５３と採風縦框４１３との間に、縦辷り出し窓３０ａの障子４０が開放されるのを制限するロック機構６００を有する。ロック機構６００は、把手４３（図２を参照）によって操作される。
【００５０】
戸先側の戸先側縦框２４、開口部縦枠５４及び採風縦框４１４は、吊元側の吊元側縦框２３、開口部縦枠５３及び採風縦框４１３は、とほぼ同様の構造を有する。戸先側の戸先側縦框２４、開口部縦枠５４及び採風縦框４１４については、吊元側の吊元側縦框２３、開口部縦枠５３及び採風縦框４１３と同様の構造には対応する符号を付して説明を省略し、これらと異なる構造について説明する。
【００５１】
戸先側の開口部下縦枠本体５４１の吊元側及び戸先側の採風縦框４１４の戸先側には、それぞれ加熱発泡材５４１ｉ及び加熱発泡材４１４ｍが互いに対向して配置される。更に
戸先側の開口部下縦枠本体５４１の吊元側及び戸先側の採風縦框４１４の戸先側には、屈曲して延出する延出部材５４１ｊ及び延出部材４１４ｎがそれぞれ配置される。
【００５２】
本実施形態に係る採風框体４１について、図６〜図８を用いてより詳細に説明する。
図６は、本発明の一実施形態に係る採風下框がガラスを保持する構成を示す模式図である。図７は、本発明の一実施形態に係る建具の有するガラス保持金具の見付方向からの正面図である。図８は、本発明の一実施形態に係る採風框体が框組される一例を示す模式図である。
図６に示すように、採風下框４１２は、ガラス保持溝４１２ｃと、加熱発泡材４１２ｈと、緩衝材４１２ｋと、ガラス保持金具４７２とを備えている。
【００５３】
ガラス保持溝４１２ｃは、採風下框４１２に形成され、ガラス４２の下端部を保持する。緩衝材４１２ｋは、ガラス４２の下端部とガラス保持溝４１２ｃとの間に介在する部材である。
【００５４】
ガラス保持金具４７２は、ガラス保持溝４１２ｃの吊元側及び戸先側のそれぞれの端部に延設され、グレイジングチャンネル４１２ｉ（図４を参照）を介してガラス４２の下端部を保持するＣ字形の部材である。また、ガラス保持金具４７２は、その両端部に、戸先側の採風縦框４１３又は吊元側の採風縦框４１４（以下、単に「採風縦框４１３、４１４」ともいう）と連結される連結部４７２ａを有する。ガラス保持金具４７２は、アルミニウムよりも高融点の金属鋼板によって構成されている。
【００５５】
連結部４７２ａは、ガラス保持溝４１２ｃの吊元側の端部及び戸先側の端部の両端部のそれぞれに形成され、両端部から採風縦框４１３、４１４のガラス保持溝の底面に対向するように起立する立上がり片で構成されている。この立上がり片は、それぞれ２つのネジ孔４７２ｂを有しており、採風縦框４１３、４１４のガラス保持溝４１３ｃ、４１４ｃの底面と固定ネジ４８２ａで締結される（後述）。
【００５６】
採風上框４１１は、緩衝材４１２ｋを備えないことを除いて、採風下框４１２と同様にガラス保持溝４１１ｃと、加熱発泡材４１１ｈと、ガラス保持金具４７１とを備えている。ガラス保持金具４７１は、ガラス保持金具４７２と同様に両端に連結部４７１ａを有する。連結部４７１ａは、連結部４７２ａと同様に、２つのネジ孔４７１ｂを有しており、採風縦框４１３、４１４のガラス保持溝４１３ｃ、４１４ｃの底面と固定ネジ４８１ａで締結される。
【００５７】
本実施形態に係る採風框体４１が框組される一例について説明する。採風下框４１２は、採風下框４１２のガラス保持溝４１２ｃにガラス４２の下端部を挿入した状態で框組される（図８参照）。戸先側の採風縦框４１３の下端部と、採風下框４１２の戸先側の端部とを接近させた状態で、ネジ４９２ａによって、戸先側の採風縦框４１３と、採風下框４１２とを連結する。また、吊元側の採風縦框４１４の下端部と、採風下框４１２の吊元側の端部とを接近させた状態で、ネジ４９２ａによって、吊元側の採風縦框４１４と、採風下框４１２とを連結する。
採風上框４１１も採風下框４１２と同様にネジ４９１ａによって、採風縦框４１３、４１４と框組される（図８参照）。
【００５８】
更に、採風框体４１の四隅に配置されたガラス保持金具の連結部４７１ａ、４７２ａと、ガラス保持溝４１３ｃ、４１４ｃの底面とを固定ネジ４８１ａで締結すると共に、ガラス４２を採風框体４１に固定する。
詳細には、ガラス４２の下端部において、採風下框４１２の両端に形成された連結部４７２ａの有する合計４つのネジ孔４７２ｂを介して、ガラス４２がガラス保持溝４１３ｃ、４１４ｃの底面によって挟持されるように、４つの固定ネジ４８２ａを戸先側及び吊元側の両側からネジ止めする。
【００５９】
同様に、ガラス４２の上端部において、採風上框４１１の両端に形成されたガラス保持金具４７１の有する合計４つのネジ孔４７１ｂを介して、ガラス４２がガラス保持溝４１３ｃ、４１４ｃの底面によって挟持されるように、４つの固定ネジ４８１ａを戸先側及び吊元側の両側からネジ止めする。
【００６０】
以上に詳述した本発明の実施形態では、次のような作用効果を奏する。
本実施形態では、建具１００は、左右の採風縦框４１３、４１４と、採風上框４１１と、採風下框４１２と、が框組みされた採風框体４１と、各框に形成されたガラス保持溝４１１ｃ、４１２ｃ、４１３ｃ、４１４ｃに外周端部が保持されたガラス４２と、を備える建具１００であって、採風下框４１２のガラス保持溝４１２ｃに配置され、ガラス４２を保持するガラス保持金具４７２を備え、ガラス保持金具４７２が、採風縦框４１３、４１４と連結される連結部４７２ａを有する。そのため、例えば火災によってガラス４２を支える採風下框４１２が溶融したとしても、ガラス４２の重量を採風縦框４１３、４１４によって支えることができ、火災時においても安定してガラスを支えることができる。これにより高い防火性を備えることができる。
更に、ガラス４２を支える採風下框４１２が溶融したとしても、ガラス４２の重量を採風縦框４１３、４１４によって支えることができるので、例えば採風下框４１２を芯材によって補強することが不要となる。これにより、部品点数の少ない構造で防火性能を高めることができる。
【００６１】
また、連結部４７２ａが、ガラス保持金具４７２の端部に形成され該端部から採風縦框４１３、４１４のガラス保持溝の底面に対向するように起立する立上がり片で構成され、立上がり片が、採風縦框４１３、４１４のガラス保持溝４１３ｃ、４１４ｃの底面と固定ネジ４８２ａで締結される。そのため、ガラス保持金具４７２と採風縦框４１３、４１４とを単純な操作によって連結できる。これにより、建具１００の製造性を高めることができる。
【００６２】
なお、本発明は上記実施形態に限定されるものではなく、本発明の目的を達成できる範囲での変形、改良等は本発明に含まれる。
例えば、ガラス保持金具４７２（及びガラス保持金具４７１）のは両端に連結部４７２ａ（４７１ａ）を有するＣ字形の金属部材として説明したがこれに限定されない。ガラス保持金具４７１は、２種以上の部材によって構成されてもよく、例えば、ガラス保持溝４１２ｃの両端のそれぞれにＬ字形のガラス保持金具４７２が配置されてもよい。
【符号の説明】
【００６３】
１００  建具
４１  採風框体（框体）
４２  ガラス
４１１  採風上框（上框）
４１２  採風下框（下框）
４１３、４１４  採風縦框（縦框）
４１１ｃ、４１２ｃ、４１３ｃ、４１４ｃ  ガラス保持溝
４７２  ガラス保持金具
４７２ａ  連結部
【図１】
2018104926.tif 000003
【図２】
2018104926.tif 000004
【図３】
2018104926.tif 000005
【図４】
2018104926.tif 000006
【図５】
2018104926.tif 000007
【図６】
2018104926.tif 000008
【図７】
2018104926.tif 000009
【図８】
2018104926.tif 000010